(57)【要約】【課題】  第１電子部品及び第２電子部品と蓋部との間に無駄な空間ができないようにして電気接続箱の高さを低くする。【解決手段】  装着時の突出寸法が異なるリレー１１及びヒューズ１２を本体１３の装着面に装着するために、前記装着面に設けられた第１装着部１４及び第２装着部１５と、本体１３に収容されてリレー１１及びヒューズ１２とそれぞれ電気的に接続可能な第１回路部１６及び第２回路部１７を有する回路体１８とを備える電気接続箱１０であって、リレー１１の頭頂部及びヒューズ１２の頭頂部が同一平面に略沿うように、第１装着部１４及び第２装着部１５が段差形成されているとともに、第１回路部１６及び第２回路部１７が分離されて互いに電気的に接続され、かつ、第１装着部１４及び第２装着部１５に対応して段差配置されている。【選択図】      図１
2005051914.tif 000002
【特許請求の範囲】
【請求項１】
装着時の突出寸法が異なる第１電子部品および第２電子部品を本体の装着面に装着するために、
前記装着面に設けられた第１装着部および第２装着部と、前記本体に収容されて前記第１電子部品および前記第２電子部品とそれぞれ電気的に接続可能な第１回路部および第２回路部を有する回路体とを備える電気接続箱であって、
前記第１電子部品の頭頂部および前記第２電子部品の頭頂部が同一平面に略沿うように、前記第１装着部および前記第２装着部が段差形成されているとともに、
前記第１回路部および前記第２回路部が分離されて互いに電気的に接続され、かつ、前記第１装着部および前記第２装着部に対応して段差配置されていることを特徴とする電気接続箱。
【請求項２】
前記本体における前記装着面と反対側のコネクタ取付面に設けられて前記第１回路部および前記第２回路部に対してそれぞれ電気的に接続される第１コネクタおよび第２コネクタが装着可能な第１取付部および第２取付部を備え、
前記第１コネクタの頭頂部および前記第２コネクタの頭頂部が同一平面に略沿うように、前記第１取付部および前記第２取付部が段差形成されていることを特徴とする請求項１に記載した電気接続箱。
【請求項３】
前記第１回路部および前記第２回路部をプリント配線板で形成し、両者をジャンパー線で電気的に接続したことを特徴とする請求項１または２に記載した電気接続箱。
【請求項４】
前記本体が一体に形成されていることを特徴とする請求項１〜３のいずれか一項に記載した電気接続箱。
【発明の詳細な説明】
【技術分野】
【０００１】
本発明は、例えばヒューズやリレー等を収容した電気接続箱に関する。
【背景技術】
【０００２】
図３に従来の電気接続箱の一例を示す。
【０００３】
この電気接続箱は、装着時の突出寸法が異なるリレー１（第１電子部品）および短絡保護や過電流保護のためのヒューズ２（第２電子部品）を本体３の装着面に装着すべく、前記装着面に設けられた第１装着部４および第２装着部５と、前記本体３に収容されて前記リレー１および前記ヒューズ２とそれぞれ電気的に接続可能な第１回路部６および第２回路部７を有する一体の回路体８と、前記本体２の前記装着面側を覆う蓋部９とを備える。
【０００４】
また、前記箱本体３における前記装着面と反対側の面はコネクタ取付面とされており、このコネクタ取付面には前記第１回路部６および前記第２回路部７に対してそれぞれ電気的に接続される各種コネクタが装着される。
【発明の開示】
【発明が解決しようとする課題】
【０００５】
上記従来の電気接続箱においては、リレー１が装着される第１の装着部４およびヒューズ２が装着される第２の装着部５が同一平面上に配置されているため、リレー１よりも前記装着面からの突出寸法が短いヒューズ２と蓋部９との間に無駄な空間ができ、電気接続箱の背が高くなるという問題がある。
【０００６】
本発明は、前述した問題点に鑑みてなされたものであり、その目的は、第１電子部品および第２電子部品の内の装着面からの突出寸法が短い電子部品の上方に無駄な空間ができないようにして高さを低くすることができる電気接続箱を提供することである。
【課題を解決するための手段】
【０００７】
前述した目的を達成するために、本発明は、請求項１に記載したように、装着時の突出寸法が異なる第１電子部品および第２電子部品を本体の装着面に装着するために、前記装着面に設けられた第１装着部および第２装着部と、前記本体に収容されて前記第１電子部品および前記第２電子部品とそれぞれ電気的に接続可能な第１回路部および第２回路部を有する回路体とを備える電気接続箱であって、前記第１電子部品の頭頂部および前記第２電子部品の頭頂部が同一平面に略沿うように、前記第１装着部および前記第２装着部が段差形成されているとともに、前記第１回路部および前記第２回路部が分離されて互いに電気的に接続され、かつ、前記第１装着部および前記第２装着部に対応して段差配置されていることを特徴としている。
【０００８】
このように構成された電気接続箱においては、前記第１電子部品の頭頂部および前記第２電子部品の頭頂部が同一平面に略沿うように、前記第１装着部および前記第２装着部が段差形成されているとともに、前記第１回路部および前記第２回路部が分離されて互いに電気的に接続され、かつ、前記第１装着部および前記第２装着部に対応して段差配置されているので、第１電子部品および第２電子部品の内の前記装着面からの突出寸法が短い電子部品の上方の空間を有効に利用でき、電気接続箱の高さを低くすることができることになる。
【０００９】
従って、この電気接続箱においては、従来のような、前記装着面からの突出寸法が短い側の電子部品と蓋部との間に無駄な空間ができ、電気接続箱の背が高くなるという問題を解消できることになる。
【００１０】
また、本発明は、請求項２に記載したように、前記本体における前記装着面と反対側のコネクタ取付面に設けられて前記第１回路部および前記第２回路部に対してそれぞれ電気的に接続される第１コネクタおよび第２コネクタが装着可能な第１取付部および第２取付部を備え、前記第１コネクタの頭頂部および前記第２コネクタの頭頂部が同一平面に略沿うように、前記第１取付部および前記第２取付部が段差形成されていることを特徴としている。
【００１１】
このように構成された電気接続箱においては、前記本体における前記装着面と反対側のコネクタ取付面に設けられて前記第１回路部および前記第２回路部に対してそれぞれ電気的に接続される第１コネクタおよび第２コネクタが装着可能な第１取付部および第２取付部が、前記第１コネクタの頭頂部および前記第２コネクタの頭頂部が同一平面に略沿うように段差形成されているので、電気接続箱の高さをより低くすることができる。
【００１２】
更に、本発明は、請求項３に記載したように、前記第１回路部および前記第２回路部をプリント配線板で形成し、両者をジャンパー線で電気的に接続したことを特徴としている。
【００１３】
このように構成された電気接続箱においては、前記第１回路部および前記第２回路部をプリント配線板で形成して両者をジャンパー線で電気的に接続しているので、回路構造を単純にすることができる。
【００１４】
更に、本発明は、請求項４に記載したように、前記本体が一体に形成されていることを特徴としている。
【００１５】
このように構成された電気接続箱においては、前記本体を一体に形成することで、部品点数を削減することができるとともに、組立工程を簡素化することができ、更に、強度を向上させることができる。
【発明の効果】
【００１６】
以上、説明したように、本発明によれば、請求項１に記載したように、前記第１電子部品の頭頂部および前記第２電子部品の頭頂部が同一平面に略沿うように、前記第１装着部および前記第２装着部が段差形成されているとともに、前記第１回路部および前記第２回路部が分離されて互いに電気的に接続され、かつ、前記第１装着部および前記第２装着部に対応して段差配置されているので、第１電子部品および第２電子部品の内の突出寸法が短い電子部品の上方の空間を有効に利用でき、電気接続箱の高さを低くすることができる。
【００１７】
また、本発明によれば、請求項２に記載したように、前記本体における前記装着面と反対側のコネクタ取付面に設けられて前記第１回路部および前記第２回路部に対してそれぞれ電気的に接続される第１コネクタおよび第２コネクタが装着可能な第１取付部および第２取付部が、前記第１コネクタの頭頂部および前記第２コネクタの頭頂部が同一平面に略沿うように段差形成されているので、電気接続箱の高さをより低くすることができる。
【００１８】
更に、本発明によれば、請求項３に記載したように、前記第１回路部および前記第２回路部をプリント配線板で形成して両者をジャンパー線で電気的に接続しているので、回路構造を単純にすることができる。
【００１９】
更に、本発明によれば、請求項４に記載したように、前記本体が一体に形成されているので、部品点数を削減することができるとともに、組立工程を簡素化することができ、更に、強度を向上させることができる。
【発明を実施するための最良の形態】
【００２０】
以下、本発明に係る実施形態を図面に基づいて詳細に説明する。
【００２１】
図１に示すように、本発明に係る実施形態の一例である電気接続箱１０は、装着時の突出寸法が異なるリレー（第１電子部品）１１およびヒューズ１２（第２電子部品）を一体に形成された本体１３の装着面に装着するために、前記装着面に設けられた第１装着部１４および第２装着部１５と、前記本体１３に収容されてリレー１１およびヒューズ１２とそれぞれ電気的に接続可能な第１回路部１６および第２回路部１７を有する回路体１８と、前記本体２の前記装着面側を覆う蓋部１９とを備える。
【００２２】
また、本体１３における前記装着面と反対側の面はコネクタ取付面とされており、このコネクタ取付面には第１回路部１６および第２回路部１７に対してそれぞれ電気的に接続される各種コネクタが装着される。
【００２３】
ここで、この実施形態では、第１装着部１４および第２装着部１５が、リレー１１の頭頂部および前記装着面からの突出寸法が前記リレー１１より短いヒューズ１２の頭頂部が同一平面に略沿うように、段差形成されている。
【００２４】
また、回路体１８の第１回路部１６および第２回路部１７は分離されてそれぞれプリント配線基板とされており、両回路部１６，１７はジャンパー線２０を介して互いに電気的に接続されるとともに、第１装着部１４および第２装着部１５に対応して段差配置されている。
【００２５】
前述した電気接続箱１０によれば、リレー１１の頭頂部および該リレー１１より前記装着面からの突出寸法が短いヒューズ１２の頭頂部が同一平面に略沿うように、第１装着部１４および第２装着部１５が段差形成されているとともに、回路体１８の第１回路部１６および第２回路部１７が分離されて互いに電気的に接続され、かつ、第１装着部１４および第２装着部１５に対応して段差配置されているので、リレー１１より前記装着面からの突出寸法が短いヒューズ１２と蓋部１９との間の空間を有効に利用でき、電気接続箱１０の高さを低くすることができる。
また、第１回路部１６および第２回路部１７をプリント配線板で形成して両者をジャンパー線で電気的に接続しているので、回路構造を単純にすることができる。
【００２６】
更に、本体１３を一体に形成しているので、部品点数を削減することができるとともに、組立工程を簡素化することができ、更に、強度を向上させることができる。
【００２７】
なお、本発明の電気接続箱は、前述した実施形態に限定されるものではなく、適宜な変形、改良が可能である。
【００２８】
例えば、前述した実施形態では、前記本体１３における前記装着面と反対側のコネクタ取付面を全て平坦な面としているが、これに代えて、図２に示すように、コネクタイ取付面に設けられて前記第１回路部１６および前記第２回路部１７に対してそれぞれ電気的に接続される第１コネクタ３０および該第１コネクタ３０より突出寸法の長い第２コネクタ３１が装着可能な第１取付部３２および第２取付部３３を備え、前記第１コネクタ３０の頭頂部および前記第２コネクタ３１の頭頂部が同一平面に略沿うように、前記第１取付部３２および前記第２取付部３３を段差形成して、第１コネクタ３０および第２コネクタ３１が装着された状態での電気接続箱の高さをより低くするようにしてもよい。
【００２９】
その他、前述した各実施形態において例示した第１電子部品、第２電子部品、本体、装着面、第１装着部、第２装着部、第１回路部、第２回路部、回路体、コネクタ取付面、第１コネクタ、第２コネクタ、第１取付部、第２取付部、プリント配線板、ジャンパー線等の材質、形状、寸法、形態、数、配置箇所等は本発明を達成できるものであれば任意であり、限定されない。
【図面の簡単な説明】
【００３０】
【図１】本発明に係る実施形態の一例である電気接続箱を説明するための蓋部を破断した概略図である。
【図２】本発明に係る他の実施形態である電気接続箱を説明するための蓋部を破断した概略図である。
【図３】従来の電気接続箱を説明するための蓋部を破断した概略図である。
【符号の説明】
【００３１】
１０  電気接続箱
１１  リレー（第１電子部品）
１２  ヒューズ（第２電子部品）
１３  本体
１４  第１装着部
１５  第２装着部
１６  第１回路部
１７  第２回路部
１８  回路体
２０  ジャンパー線
３０  第１コネクタ
３１  第２コネクタ
３２  第１取付部
３３  第２取付部
【図１】
2005051914.tif 000003
【図２】
2005051914.tif 000004
【図３】
2005051914.tif 000005